(57)【特許請求の範囲】
【請求項１】
浴槽に接続される循環路に浴槽水を循環させる機能を備えたポンプが設けられ、該ポンプの吐出側の循環路には水を貯留するタンクを備えた加圧容器の水導入部が接続され、該加圧容器の水導入部側の循環路には第１の切り替え弁を介して前記循環路に上水を注水導入する注水通路が接続され、前記加圧容器の水導出部側の循環路には第２の切り替え弁を介して前記循環路から浴槽湯水を中水導出口に導く中水通路が接続されており、前記浴槽内の水の水位を検出する浴槽水位検出手段と、前記加圧容器の水導入部から導入される水に溶融させるための空気を導入する空気導入手段とを有して、該空気導入手段により導入された空気が前記ポンプによって前記加圧容器に導入される水に加圧溶融されて空気加圧溶融水として導出される構成を有し、該空気加圧溶融水が前記中水通路に導入されたときに該空気加圧溶融水を減圧して噴出させることにより前記中水通路内の水に微細気泡を噴出させる通路通水白濁用微細気泡噴出装置が前記中水通路に介設され、前記浴槽への前記循環路の接続部には前記空気加圧溶融水を減圧して噴出させることにより前記浴槽内の水に微細気泡を噴出させる浴槽白濁用微細気泡噴出装置が設けられており、中水利用指令が加えられたとき又は前記中水導出口の開動作が行われたときに前記浴槽水位検出手段により検出される検出水位が予め定められる中水利用設定水位以上あったときには前記ポンプの駆動により前記加圧容器から導出される空気加圧溶融水を前記第２の切り替え弁を介して前記中水通路に導入し、前記通路通水白濁用微細気泡噴出装置を通して微細気泡を噴出させて該微細気泡の含有水を前記中水導出口から導出し、中水利用停止指令が加えられたとき又は前記中水導出口の閉動作が行われたときには前記微細気泡の含有水の前記中水導出口からの導出を停止する微細気泡含有中水導出制御手段と、循環路配管洗浄指令が加えられたときに前記浴槽水位検出手段により検出される検出水位が前記中水利用設定水位以上あったときには、前記ポンプの駆動により前記加圧容器から導出される空気加圧溶融水を前記第２の切り替え弁を介し前記循環路から前記浴槽白濁用微細気泡噴出装置を通して浴槽に吐出させて前記微細気泡を発生させた後に該浴槽から前記加圧容器に戻して前記循環路を循環させて洗浄する循環路洗浄制御手段と、該循環路洗浄制御手段による前記循環路の洗浄または前記中水導出口からの中水導出以降に前記浴槽水位検出手段によって浴槽湯水が無いことが検出されたときには前記注水通路から前記第１の切り替え弁を介して前記循環路に上水を注水して該循環路を上水で洗浄する上水洗浄制御手段が設けられていることを特徴とする風呂システム。
【請求項２】
中水通路に通路通水白濁用微細気泡噴出装置を設けることと浴槽白濁用微細気泡噴出装置を設けることの代わりに、加圧容器の水導出部から第２の切り替え弁に至る循環路に前記加圧容器から導出される空気加圧溶融水を減圧して噴出させることにより前記循環路内の水に微細気泡を噴出させる通路通水白濁用微細気泡噴出装置が設けられていることを特徴とする請求項１記載の風呂システム。
【請求項３】
浴槽に接続される循環路に浴槽水を循環させる機能を備えたポンプが設けられ、該ポンプの吐出側の循環路には水を貯留するタンクを備えた加圧容器の水導入部が接続され、該加圧容器の水導入部側の循環路には第１の切り替え弁を介して前記循環路に上水を注水導入する注水通路が接続され、前記加圧容器の水導出部側の循環路には第２の切り替え弁を介して前記循環路から浴槽湯水を中水導出口に導く中水通路が接続されており、前記浴槽内の水の水位を検出する浴槽水位検出手段と、前記加圧容器の水導入部から導入される水に溶融させるための空気を導入する空気導入手段とを有して、該空気導入手段により導入された空気が前記ポンプによって前記加圧容器に導入される水に加圧溶融されて空気加圧溶融水として導出される構成を有し、該空気加圧溶融水が前記中水通路に導入されたときに該空気加圧溶融水を減圧して噴出させることにより前記中水通路内の水に微細気泡を噴出させる通路通水白濁用微細気泡噴出装置が前記中水通路に介設され、中水利用指令が加えられたとき又は前記中水導出口の開動作が行われたときに前記浴槽水位検出手段により検出される検出水位が予め定められる中水利用設定水位以上あったときには前記ポンプの駆動により前記加圧容器から導出される空気加圧溶融水を前記第２の切り替え弁を介して前記中水通路に導入し、前記通路通水白濁用微細気泡噴出装置を通して微細気泡を噴出させて該微細気泡の含有水を前記中水導出口から導出し、中水利用停止指令が加えられたとき又は前記中水導出口の閉動作が行われたときには前記微細気泡の含有水の前記中水導出口からの導出を停止する微細気泡含有中水導出制御手段と、該微細気泡含有中水導出制御手段による中水導出後に浴槽に水があり、かつ、該浴槽水の前記浴槽水位検出手段による検出水位が予め定められる補水用設定水位より低い水位のときには注水通路から第１の切り替え弁を介して上水を循環路に注水し、該循環路を通して浴槽内に上水を注水して浴槽水位を前記補水用設定水位以上の水位に保つ水位保持制御手段が設けられていることを特徴とする風呂システム。
【請求項４】
中水通路に通路通水白濁用微細気泡噴出装置が設けられている代わりに、加圧容器の水導出部から第２の切り替え弁に至る循環路に前記加圧容器から導出される空気加圧溶融水を減圧して噴出させることにより前記循環路内の水に微細気泡を噴出させる通路通水白濁用微細気泡噴出装置が設けられていることを特徴とする請求項３記載の風呂システム。
【請求項５】
注水通路には上水を加熱する熱交換器を備えた給湯用回路が接続されており、該給湯用回路により加熱形成した湯を前記注水通路と循環路を通して浴槽に湯張りする湯張り制御手段が設けられていることを特徴とする請求項１乃至請求項４のいずれか一つに記載の風呂システム。
【請求項６】
加圧容器内の圧力を検出する圧力検出手段を有し、微細気泡含有中水導出制御手段は、前記圧力検出手段により検出される加圧容器内の圧力が予め定めたポンプオン設定圧力以下になったときにポンプの駆動を開始し、中水利用停止指令が加えられたときと中水導出口の閉動作が行われたときと前記加圧容器内の圧力が前記ポンプオン設定圧力よりも高い予め定めたポンプオフ設定圧力以上になったときのいずれかの予め定められた設定タイミングにポンプの駆動を停止することを特徴とする請求項１乃至は請求項５のいずれか一つに記載の風呂システム。
【請求項７】
中水通路には中水を貯留する水貯留タンクが介設されており、微細気泡含有中水導出制御手段は前記水貯留タンク内の圧力が予め定めたポンプオン設定圧力以下になったときにポンプの駆動を開始し、前記水貯留タンク内の圧力が前記ポンプオン設定圧力よりも高い予め定めたポンプオフ設定圧力以上になったときにポンプの駆動を停止することを特徴とする請求項１乃至は請求項５のいずれか一つに記載の風呂システム。
【請求項８】
中水通路には中水を貯留する水貯留タンクが介設されており、前記水貯留タンクには該水貯留タンク内が予め定めたオン駆動圧以下になるとオンして該オン駆動圧よりも高い予め定めたオフ駆動圧以上になるとオフする圧力スイッチが設けられており、微細気泡含有中水導出制御手段は前記圧力スイッチのオン信号が加えられたときにポンプの駆動を開始し、前記圧力スイッチのオフ信号が加えられたときにポンプの駆動を停止することを特徴とする請求項１乃至は請求項５のいずれか一つに記載の風呂システム。
【請求項９】
ポンプの駆動開始から予め定められた弁開設定待機時間が経過するまでは空気導入手段を閉状態とし、前記弁開設定待機時間が経過した以降に前記空気導入手段を開状態として空気を浴槽水に溶融させる空気導入弁開閉制御手段が設けられていることを特徴とする請求項７または請求項８記載の風呂システム。
【請求項１０】
水貯留タンクの圧力スイッチが予め定められた設定判断時間以内に予め定めた設定回数以上のオンオフ動作を繰り返し行ったときには、その直後に空気導入手段を開いて空気を浴槽水に溶融させることを特徴とする請求項８記載の風呂システム。
【請求項１１】
浴槽水の温度を検出する風呂温度検出手段を有し、該風呂温度検出手段の検出温度が予め定めた設定温度以上の時には、ポンプの駆動直後に空気導入手段を開いて空気を浴槽水に溶融させることを特徴とする請求項１乃至請求項１０のいずれか一つに記載の風呂システム。
【請求項１２】
循環路には循環水を加熱する熱交換器が介設され、前記循環路がポンプの駆動により該循環路を循環する浴槽水を加熱して循環する追い焚き循環路を成していることを特徴とする請求項１乃至請求項１１のいずれか一つに記載の風呂システム。
【請求項１３】
オゾンを収容するオゾン収容部が空気導入手段に接続されており、該空気導入手段からオゾンを導入するオゾン導入手段が設けられていることを特徴とする請求項１乃至請求項１２のいずれか一つに記載の風呂システム。
【発明の詳細な説明】
【技術分野】
【０００１】
本発明は、浴槽湯水に微細気泡（白濁式）を含有させる機能を備えた風呂システムに関するものである。
【背景技術】
【０００２】
例えば浴槽湯水の残り湯（浴槽湯水の中水）を、停電などの緊急時に利用したり、洗濯注水ユニットや、各洗濯機に内蔵されているポンプを利用して洗濯機に注水し、利用したりすることが行われている。なお、本願の明細書等において、風呂の残り湯等を下水として直接排出せずに洗濯等に利用（再利用）する場合に、この水を中水という。
【０００３】
また、浴槽洗浄において、洗剤液や湯または水での洗浄後に銀イオン含有湯水を用いた洗浄を行うことが提案されている（例えば、特許文献１、参照。）。
【先行技術文献】
【特許文献】
【０００４】
【特許文献１】特開２００９−１８３４１４号公報
【発明の概要】
【発明が解決しようとする課題】
【０００５】
ところで、近年、浴槽内に気泡を発生させる気泡発生機能を備えた風呂装置が用いられるようになり、微細気泡（白濁式）を浴槽内に発生させると、入浴した人の保温性を高めるだけでなく、汚れを落としやすくでき、かつ、湯垢が着きにくいといった効果があることが知られている。そこで、本願発明者は、このような汚れ落とし効果を、必要に応じて前記洗浄等の様々な用途に有効利用できないものかと考えた。なお、微細気泡とは、例えば気泡径５０ミクロン以下の気泡をいう。
【０００６】
本発明は、本発明者の考えに基づいてなされたものであり、その目的は、浴槽の残り湯を、システムに設けた微細気泡発生機能による効果を活かして有効に再利用でき、場合によっては停電時などの緊急時に備えることもできる風呂システムを提供することにある。
【課題を解決するための手段】
【０００７】
本発明は上記目的を達成するために、次の構成をもって課題を解決する手段としている。すなわち、第１の発明は、浴槽に接続される循環路に浴槽水を循環させる機能を備えたポンプが設けられ、該ポンプの吐出側の循環路には水を貯留するタンクを備えた加圧容器の水導入部が接続され、該加圧容器の水導入部側の循環路には第１の切り替え弁を介して前記循環路に上水を注水導入する注水通路が接続され、前記加圧容器の水導出部側の循環路には第２の切り替え弁を介して前記循環路から浴槽湯水を中水導出口に導く中水通路が接続されており、前記浴槽内の水の水位を検出する浴槽水位検出手段と、前記加圧容器の水導入部から導入される水に溶融させるための空気を導入する空気導入手段とを有して、該空気導入手段により導入された空気が前記ポンプによって前記加圧容器に導入される水に加圧溶融されて空気加圧溶融水として導出される構成を有し、該空気加圧溶融水が前記中水通路に導入されたときに該空気加圧溶融水を減圧して噴出させることにより前記中水通路内の水に微細気泡を噴出させる通路通水白濁用微細気泡噴出装置が前記中水通路に介設され、前記浴槽への前記循環路の接続部には前記空気加圧溶融水を減圧して噴出させることにより前記浴槽内の水に微細気泡を噴出させる浴槽白濁用微細気泡噴出装置が設けられており、中水利用指令が加えられたとき又は前記中水導出口の開動作が行われたときに前記浴槽水位検出手段により検出される検出水位が予め定められる中水利用設定水位以上あったときには前記ポンプの駆動により前記加圧容器から導出される空気加圧溶融水を前記第２の切り替え弁を介して前記中水通路に導入し、前記通路通水白濁用微細気泡噴出装置を通して微細気泡を噴出させて該微細気泡の含有水を前記中水導出口から導出し、中水利用停止指令が加えられたとき又は前記中水導出口の閉動作が行われたときには前記微細気泡の含有水の前記中水導出口からの導出を停止する微細気泡含有中水導出制御手段と、循環路配管洗浄指令が加えられたときに前記浴槽水位検出手段により検出される検出水位が前記中水利用設定水位以上あったときには、前記ポンプの駆動により前記加圧容器から導出される空気加圧溶融水を前記第２の切り替え弁を介し前記循環路から前記浴槽白濁用微細気泡噴出装置を通して浴槽に吐出させて前記微細気泡を発生させた後に該浴槽から前記加圧容器に戻して前記循環路を循環させて洗浄する循環路洗浄制御手段と、該循環路洗浄制御手段による前記循環路の洗浄または前記中水導出口からの中水導出以降に前記浴槽水位検出手段によって浴槽湯水が無いことが検出されたときには前記注水通路から前記第１の切り替え弁を介して前記循環路に上水を注水して該循環路を上水で洗浄する上水洗浄制御手段が設けられている構成をもって課題を解決する手段としている。
【０００８】
また、第２の発明は、前記第１の発明の構成に加え、中水通路に通路通水白濁用微細気泡噴出装置を設けることと浴槽白濁用微細気泡噴出装置を設けることの代わりに、加圧容器の水導出部から第２の切り替え弁に至る循環路に前記加圧容器から導出される空気加圧溶融水を減圧して噴出させることにより前記循環路内の水に微細気泡を噴出させる通路通水白濁用微細気泡噴出装置が設けられていることを特徴とする。
【０００９】
さらに、第３の発明は、浴槽に接続される循環路に浴槽水を循環させる機能を備えたポンプが設けられ、該ポンプの吐出側の循環路には水を貯留するタンクを備えた加圧容器の水導入部が接続され、該加圧容器の水導入部側の循環路には第１の切り替え弁を介して前記循環路に上水を注水導入する注水通路が接続され、前記加圧容器の水導出部側の循環路には第２の切り替え弁を介して前記循環路から浴槽湯水を中水導出口に導く中水通路が接続されており、前記浴槽内の水の水位を検出する浴槽水位検出手段と、前記加圧容器の水導入部から導入される水に溶融させるための空気を導入する空気導入手段とを有して、該空気導入手段により導入された空気が前記ポンプによって前記加圧容器に導入される水に加圧溶融されて空気加圧溶融水として導出される構成を有し、該空気加圧溶融水が前記中水通路に導入されたときに該空気加圧溶融水を減圧して噴出させることにより前記中水通路内の水に微細気泡を噴出させる通路通水白濁用微細気泡噴出装置が前記中水通路に介設され、中水利用指令が加えられたとき又は前記中水導出口の開動作が行われたときに前記浴槽水位検出手段により検出される検出水位が予め定められる中水利用設定水位以上あったときには前記ポンプの駆動により前記加圧容器から導出される空気加圧溶融水を前記第２の切り替え弁を介して前記中水通路に導入し、前記通路通水白濁用微細気泡噴出装置を通して微細気泡を噴出させて該微細気泡の含有水を前記中水導出口から導出し、中水利用停止指令が加えられたとき又は前記中水導出口の閉動作が行われたときには前記微細気泡の含有水の前記中水導出口からの導出を停止する微細気泡含有中水導出制御手段と、該微細気泡含有中水導出制御手段による中水導出後に浴槽に水があり、かつ、該浴槽水の前記浴槽水位検出手段による検出水位が予め定められる補水用設定水位より低いときには前記注水通路から第１の切り替え弁を介して上水を循環路に注水し、該循環路を通して浴槽内に上水を注水して浴槽水位を前記補水用設定水位以上の水位に保つ水位保持制御手段が設けられている構成をもって課題を解決する手段としている。
【００１０】
さらに、第４の発明は、前記第３の発明の構成に加え、前記中水通路に通路通水白濁用微細気泡噴出装置が設けられている代わりに、加圧容器の水導出部から第２の切り替え弁に至る循環路に前記加圧容器から導出される空気加圧溶融水を減圧して噴出させることにより前記循環路内の水に微細気泡を噴出させる通路通水白濁用微細気泡噴出装置が設けられていることを特徴とする。
【００１１】
さらに、第５の発明は、前記第１乃至第４のいずれか一つの発明の構成に加え、前記注水通路には上水を加熱する熱交換器を備えた給湯用回路が接続されており、該給湯用回路により加熱形成した湯を前記注水通路と循環路を通して浴槽に湯張りする湯張り制御手段が設けられていることを特徴とする。
【００１２】
さらに、第６の発明は、前記第１乃至第５のいずれか一つの発明の構成に加え、前記加圧容器内の圧力を検出する圧力検出手段を有し、微細気泡含有中水導出制御手段は、前記圧力検出手段により検出される加圧容器内の圧力が予め定めたポンプオン設定圧力以下になったときにポンプの駆動を開始し、中水利用停止指令が加えられたときと中水導出口の閉動作が行われたときと前記加圧容器内の圧力が前記ポンプオン設定圧力よりも高い予め定めたポンプオフ設定圧力以上になったときのいずれかの予め定められた設定タイミングにポンプの駆動を停止することを特徴とする。
【００１３】
さらに、第７の発明は、第１乃至第５のいずれか一つの発明の構成に加え、前記中水通路には中水を貯留する水貯留タンクが介設されており、微細気泡含有中水導出制御手段は前記水貯留タンク内の圧力が予め定めたポンプオン設定圧力以下になったときにポンプの駆動を開始し、前記水貯留タンク内の圧力が前記ポンプオン設定圧力よりも高い予め定めたポンプオフ設定圧力以上になったときにポンプの駆動を停止することを特徴とする。
【００１４】
さらに、第８の発明は、前記第１乃至第５のいずれか一つの発明の構成に加え、前記中水通路には中水を貯留する水貯留タンクが介設されており、前記水貯留タンクには該水貯留タンク内が予め定めたオン駆動圧以下になるとオンして該オン駆動圧よりも高い予め定めたオフ駆動圧以上になるとオフする圧力スイッチが設けられており、微細気泡含有中水導出制御手段は前記圧力スイッチのオン信号が加えられたときにポンプの駆動を開始し、前記圧力スイッチのオフ信号が加えられたときにポンプの駆動を停止することを特徴とする。
【００１５】
さらに、第９の発明は、前記第７または第８のいずれか一つの発明の構成に加え、前記ポンプの駆動開始から予め定められた弁開設定待機時間が経過するまでは空気導入手段を閉状態とし、前記弁開設定待機時間が経過した以降に前記空気導入手段を開状態として空気を浴槽水に溶融させる空気導入弁開閉制御手段が設けられていることを特徴とする。
【００１６】
さらに、第１０の発明は、前記第８の発明の構成に加え、前記水貯留タンクの圧力スイッチが予め定められた設定判断時間以内に予め定めた設定回数以上のオンオフ動作を繰り返し行ったときには、その直後に空気導入手段を開いて空気を浴槽水に溶融させることを特徴とする。
【００１７】
さらに、第１１の発明は、前記第１乃至第１０のいずれか一つの発明の構成に加え、浴槽水の温度を検出する風呂温度検出手段を有し、該風呂温度検出手段の検出温度が予め定めた設定温度以上の時には、ポンプの駆動直後に空気導入手段を開いて空気を浴槽水に溶融させることを特徴とする。
【００１８】
さらに、第１２の発明は、前記第１乃至第１１のいずれか一つの発明の構成に加え、循環路には循環水を加熱する熱交換器が介設され、前記循環路がポンプの駆動により該循環路を循環する浴槽水を加熱して循環する追い焚き循環路を成していることを特徴とする。
【００１９】
さらに、第１３の発明は、前記第１乃至第１１のいずれか一つの発明の構成に加え、オゾンを収容するオゾン収容部が空気導入手段に接続されて、該空気導入手段からオゾンを導入するオゾン導入手段が形成されていることを特徴とする特徴とする。
【発明の効果】
【００２０】
本発明によれば、浴槽に接続された循環路に、浴槽湯水の水位を検出する浴槽水位検出手段と、浴槽湯水を循環させるポンプと、浴槽湯水に空気を加圧溶融させて導出する加圧容器と、第１および第２の切り替え弁を設けており、浴槽水位検出手段により検出される検出水位に基づき、残り湯が再利用可能なときには加圧容器により浴槽湯水に空気を溶融させて空気溶融中水を形成し、その空気溶融中水を通路通水白濁用微細気泡噴出装置で減圧して微細気泡を発生させ、第１、第２の切り替え弁の切り替えとポンプの駆動および停止の制御とにより、微細気泡含有湯水の中水を中水導出口から導出して靴洗浄やトイレ洗浄等に再利用することができる。
【００２１】
つまり、中水利用指令が微細気泡含有中水導出制御手段に加えられたとき又は中水導出口の開動作が行われたときに、浴槽水位検出手段により検出される検出水位が予め定められる中水利用設定水位以上あったときには、前記ポンプを駆動させて加圧容器により浴槽湯水に空気を加圧溶融させた後に減圧させて微細気泡を発生させ、その微細気泡含有湯水を中水通路を通して中水導出口から導出することにより、例えば靴洗浄やトイレの使用後に流す水として良好な洗浄効果を発揮できる状態で、浴槽湯水を再利用することができる。なお、中水導出口の開動作とは、中水導出口の栓を開く動作やレバー開動作等、中水導出口から中水を導出するための動作である。そして、中水利用停止指令が加えられたとき又は前記中水導出口の閉動作が行われたときには前記ポンプを停止させて、浴槽湯水の前記中水導出口からの導出を停止することにより、水の無駄を省くことができる。
【００２２】
また、循環路洗浄制御手段を設けて、循環路配管洗浄指令が加えられたときに、浴槽水位検出手段により検出される検出水位が前記中水利用設定水位以上あったときには、前記ポンプを駆動させ浴槽湯水に空気を溶融させた後に減圧させて微細気泡を発生させ、浴槽に吐出させた後に該浴槽から加圧容器に戻すことにより、前記浴槽湯水を前記循環路に循環させて該循環路（循環路の配管内）を微細気泡含有の浴槽湯水で良好に洗浄することができる。
【００２３】
さらに、上水洗浄制御手段を設けて、循環路の洗浄や中水導出以降に浴槽湯水が無いことが検出されたときには、注水通路から第１の切り替え弁を介して循環路に上水を注水して洗浄することによって、中水導出時や配管洗浄時に中水に含まれていた雑菌等が配管に付着したとしても、その雑菌を洗い流すことができ循環路内の清潔を保つことができる。
【００２４】
さらに、水位保持制御手段を設けて、微細気泡含有中水導出制御手段による浴槽湯水の導出後に浴槽に湯水があり、かつ、該浴槽湯水の浴槽水位検出手段による検出水位が予め定められる補水用設定水位より低い水位になったときには、注水通路から第１の切り替え弁を介して上水を循環路に注水し、該循環路を通して浴槽内に上水を注水して浴槽水位を前記補水用設定水位以上の水位に保つようにする（水位保持動作を行う）ことによって、その水を、例えば停電時などの緊急時にトイレの使用後に流す水としてなど、有効利用することができる。また、この水位保持動作を繰り返し行うことにより、浴槽の残り湯をほぼ上水によって置換でき、浴槽に清潔な水を張った状態とすることができる。
【００２５】
さらに、注水通路に、上水を加熱する熱交換器を備えた給湯用回路を接続し、給湯用回路により加熱形成した湯を前記注水通路と循環路を通して浴槽に湯張りすることにより、適宜、湯張りを行うことができるし、例えば浴槽湯水の残り湯に上水を注水することにより行われる前記水位保持動作を繰り返し行うことにより、浴槽の残り湯をほぼ上水によって置換して浴槽に清潔な水を張った状態とした場合には、その水に湯張りの湯を足して、迅速に入浴可能な湯を形成することができる。
【００２６】
さらに、加圧容器内の圧力を検出する圧力検出手段を設け、微細気泡含有中水導出制御手段は、前記圧力検出手段により検出される加圧容器内の圧力が予め定めたポンプオン設定圧力以下になったときにポンプの駆動を開始することにより、中水導出口側から水の導出が行われて加圧容器内の圧力がポンプオン設定圧力以下に下がったときに、迅速に、微細気泡含有水の中水を中水導出口から導出することができる。また、中水利用停止指令が加えられたときにポンプの駆動を停止したり、加圧容器内の圧力が前記ポンプオン設定圧力よりも高い予め定めたポンプオフ設定圧力以上になったときにポンプの駆動を停止したりすることにより、適切なタイミングでポンプを停止することができる。また、加圧容器内の圧力がポンプオフ設定圧力以上になったときにポンプの駆動を停止することにより、加圧容器内の圧力を適宜の高い圧力にすることができる。
【００２７】
さらに、中水通路に水貯留タンクを介設して該水貯留タンクに中水（つまり、浴槽から中水通路に導入される水）を貯留しておき、微細気泡含有中水導出制御手段は、中水利用指令が加えられてから前記水貯留タンク内の圧力が予め定めたポンプオン設定圧力以下になったときにポンプの駆動を開始することにより、中水導出口側から水の導出が行われて中水通路および水貯留タンク内の圧力が設定圧力以下に下がったときに、迅速に、微細気泡含有水の中水を中水導出口から導出することができる。また、水貯留タンク内の圧力が前記ポンプオン設定圧力よりも高い予め定めたポンプオフ設定圧力以上になったときにポンプの駆動を停止することにより、適切なタイミングでポンプを停止することができるし、水貯留タンク内の圧力を適宜の高い圧力にすることができる。
【００２８】
さらに、中水通路に水貯留タンクを介設して該水貯留タンクに中水（つまり、浴槽から中水通路に導入される水）を貯留しておき、該水貯留タンクに、該水貯留タンク内が予め定めたオン駆動圧以下になるとオンして該オン駆動圧よりも高い予め定めたオフ駆動圧以上になるとオフする圧力スイッチを設け、微細気泡含有中水導出制御手段は、前記圧力スイッチのオン信号が加えられたときにポンプの駆動を開始することにより、中水導出口側が開かれて中水通路および水貯留タンク内の圧力が下がって圧力スイッチがオンしたときに、迅速に、微細気泡含有水の中水を中水導出口から導出することができる。また、水貯留タンク内の圧力スイッチのオフ信号が加えられたときにポンプの駆動を停止することにより、適切なタイミングでポンプを停止することができるし、水貯留タンク内の圧力を適宜の高い圧力にすることができる。
【００２９】
さらに、中水通路に水貯留タンクを設けて該水貯留タンクに圧力センサを設ける構成や圧力スイッチを設ける構成において、ポンプの駆動開始から予め定められた弁開設定待機時間が経過するまでは空気導入手段を閉状態とし、前記設定時間が経過した以降に前記空気導入手段を開状態として空気を浴槽水に溶融させるようにすることで、以下の効果を奏することができる。
【００３０】
つまり、中水通路に設けた水貯留タンクのタンク内の圧力は、中水導出口が閉じている状態のときには、例えば１００ＫＰａ（約１ｋｇ／ｃｍ２）の圧力に保たれており、中水導出口が開くと、水貯留タンク内の空気に押されて水が中水導出口から導出されて、一時的に（中水導出口が開かれてから、前記ポンプが駆動開始するまでの間に）、水貯留タンク内の圧力は１００ＫＰａより下がる。そして、水貯留タンク内の圧力がポンプオンに適した圧力以下になったとき（つまり、圧力センサにより検出される検出圧力がポンプオン設定圧力以下になったときや、圧力が圧力スイッチのオン駆動圧以下になったとき）にポンプが駆動開始されて、中水が水貯留タンクに導入されると共に、中水は中水通路および水貯留タンクを通して中水導出口から導出される。
【００３１】
一方、微細気泡含有水を形成する加圧タンク内の圧力は、例えば約３ｋｇ／ｃｍ２で空気を水に溶解させており、水は切り替え弁の介設部分の抵抗などにより約１ｋｇ／ｃｍ２に下がって水貯留タンクに貯留されるが、切り替え弁の介設部分の抵抗等で水中の空気の一部が気泡（白濁）として出てきてから中水通路に設けた前記水貯留タンク内に入り、この結果、水貯留タンク内の空気量は次第に増えていく。そこで、水貯留タンクの圧力が前記のポンプに適した圧力以下になってから予め定められた弁開設定待機時間が経過するまでは空気導入手段を閉状態とし、前記設定時間が経過した以降に前記空気導入手段を開状態として空気を浴槽水に溶融させるようにすることで、水貯留タンク内の空気量が大きくなりすぎて水位が下がりすぎるということがないようにできる。
【００３２】
なお、中水導出口が閉じてからも前記ポンプはオンし続けることにより、水貯留タンク内の圧力が上昇していき、前記ポンプオン設定圧力よりも高いポンプオフに適した圧力（例えば１００ＫＰａ）以上になると（つまり、圧力センサにより検出される検出圧力がポンプオン設定圧力より高いポンプオフ設定圧力以上になったときや、圧力が圧力スイッチのオフ駆動圧以上になったときに）、ポンプをオフすることにより、水貯留タンク内の圧力はポンプオフ設定圧力またはその近傍の圧力に保たれる。
【００３３】
さらに、中水通路に水貯留タンクを設けて該水貯留タンクに圧力スイッチを設ける構成において、水貯留タンクの圧力スイッチが予め定められた設定判断時間以内に予め定めた設定回数以上のオンオフ動作が繰り返し行われたときには、水貯留タンク内の空気量が少なくなっていることにより、水貯留タンク内の圧力が安定せずに圧力スイッチのオンオフ動作が頻繁に行われていると考えられる。したがって、このようなときには、圧力スイッチの設定回数以上のオンオフ動作の直後に、加圧溶融手段が空気導入手段を開状態として空気を浴槽水に溶融させることにより、水貯留タンク内の空気量を増やして空気量を安定させ、水貯留タンク内の圧力を安定化させて圧力スイッチのオンオフ動作の繰り返しが長く続くことを避けることができる。
【００３４】
さらに、浴槽水の温度が高いと、その浴槽水への空気の溶解度が低く、その状態で水が、浴槽水より温度が低いタンク（加圧容器のタンクや水貯留タンク）に貯留されると、水がタンク内で冷えて空気の溶解度が高くなるときに、タンク内にあった空気が水に溶けてタンク内の空気量が少なくなる。そのため、浴槽水の温度を検出する風呂温度検出手段の検出温度が予め定めた設定温度以上の時には、ポンプの駆動直後に空気導入手段を開状態として空気を浴槽水に溶融させることにより、タンク内の空気量を増やして空気量を安定させ、加圧容器内の圧力や水貯留タンク内の圧力を安定させることができる。
【００３５】
さらに、循環路に循環水を加熱する熱交換器を介設し、浴槽水を加熱して循環する追い焚き循環路を形成することにより、浴槽水の加熱追い焚きも可能な風呂システムを、簡単な構成で構築することができる。
【００３６】
さらに、オゾン含有水は空気含有水よりもさらに汚れ落とし効果が高いため、オゾンを収容するオゾン収容部を空気導入手段に接続して空気導入手段からオゾンを導入してオゾン含有水を作成し、中水として例えば靴洗浄等に再利用すれば、前記各効果に加え、さらにより一層汚れを落とす効果を高めることができる。
【図面の簡単な説明】
【００３７】
【図１】本発明に係る風呂システムの第１実施例の制御構成を示すブロック図である。
【図２】第１実施例の風呂システムの浴槽湯水による循環路配管洗浄動作例と中水導出動作例を模式的に示す説明図である。
【図３】第１実施例の風呂システムの水位保持動作例と湯張り動作例を模式的に示す説明図である。
【図４】第１実施例の風呂システムの上水洗浄動作例を模式的に示す説明図である。
【図５】第１実施例の風呂システムの動作例を示すフローチャートである。
【図６】第１実施例の変形例の風呂システムを説明するための模式図である。
【図７】第２実施例の風呂システムのシステム構成例と水貯留タンクの圧力保持動作を説明するための説明図である。
【図８】第２実施例の風呂システムの制御構成を示すブロック図である。
【図９】第２実施例の風呂システムの動作例を示すフローチャート図である。
【図１０】第３実施例の風呂システムのシステム構成例と加圧容器の圧力保持動作を説明するための説明図である。
【図１１】第３実施例の風呂システムの制御構成を示すブロック図である。
【図１２】第３実施例の風呂システムの動作例を示すフローチャート図である。
【図１３】その他の実施例の風呂装置に設けられているシステム構成の一部を示す模式図である。
【図１４】さらに他の実施例の風呂システムのシステム構成例を示す説明図である。
【図１５】風呂システムにおける水位保持動作の別の例を説明するための説明図である。
【図１６】さらに他の実施例の風呂システムのシステム構成例と上水洗浄動作例を示す説明図である。
【発明を実施するための形態】
【００３８】
以下、本発明の実施の形態を図面に基づき説明する。
【実施例１】
【００３９】
図２〜図４には、本発明に係る風呂システムの第１実施例が示されている。これらの図に示すように、この風呂システムにおいて、浴槽１には、管路２ａ〜２ｄを備えた循環路２が接続されており、この循環路２には、浴槽水を循環させる機能を備えたポンプ４が設けられている。ポンプ４の吐出側の循環路２（図中、ポンプ４の上側に接続されている管路２ａ）には、浴槽水（浴槽湯水）の水位を検出する浴槽水位検出手段（水位センサ）３と、浴槽水の温度を検出する風呂温度検出手段としての風呂温度センサ２７とが設けられ、さらに、第１の切り替え弁６を介して、循環路２に上水を注水導入する注水通路１０と、管路２ｂとが接続されている。
【００４０】
管路２ｂには、水を貯留するタンク５ｃを備えた加圧容器５の水導入部５ａが接続されており、加圧容器５の水導出部５ｂ側の循環路２（管路２ｃ）には電磁弁（開閉弁）１５が介設されると共に、第２の切り替え弁８を介して水を中水導出口１８（１８ａ，１８ｂ）に導く中水通路１９が接続されている。第２の切り替え弁８には、前記管路２ｄも接続されている。
【００４１】
加圧容器５には、加圧容器５の水導入部５ａから導入される水に溶融させるための空気を導入する空気導入手段（ここでは空気導入弁）１６と、タンク５ｃ内の圧力を検出する圧力センサ１７とが設けられている。また、ポンプ４は、浴槽水を加圧しながら循環させる機能を有するカスケードポンプにより形成されており、空気導入手段１６により導入された空気が、ポンプ４により加圧容器５に導入される水に加圧溶融されて空気加圧溶融水として導出される構成を有している。このように、本実施例では、一つのポンプ４によって空気溶融と水循環とを行うことができるため、システム構成や制御構成を簡略化することができ、風呂システムの小型化を図ることができる。
【００４２】
なお、ポンプ４は、カスケードポンプにより形成するとは限らず、渦巻式ポンプ等の適宜のポンプにより形成されるものであるが、ポンプ４をカスケードポンプにより形成すると、空気を含む水をポンプ４に吸い込んで加圧してポンプ４から導出させることができるので、空気導入手段１６を加圧容器５に設ける代わりに、図２（ａ）の破線Ｂに示すような、ポンプ４の吸い込み側の管路２ａに位置に設けることもできる。
【００４３】
前記中水通路１９には電磁弁により形成された弁２９（２９ｂ）が設けられている。中水通路１９の先端側の中水導出口１８（１８ｂ）は、トイレの洗浄用タンク４９への導水口であり、洗浄用タンク４９には、電磁弁３１（３１ｂ）が介設された上水通路３０も接続されている。また、中水導出口１８の配設部近傍であるトイレの壁面には、中水利用指令の指令発生を行うための操作手段としてのトイレ洗浄のスイッチ２６が設けられており、このトイレ洗浄のスイッチ２６は、図１に示されるように、リモコン装置４６に設けられている。
【００４４】
なお、例えば図６に示すように、中水通路１９を複数（ここでは２本）の分岐通路１９ａ，１９ｂに分岐してもよい。同図に示す例では、分岐通路１９ｂ側の構成を図２〜図４と同様に構成しており、分岐通路１９ａの先端側の中水導出口１８ａは、スニーカ等の靴を洗浄することも行う洗面所の蛇口により形成されている。分岐通路１９ａには例えば電磁弁により形成された弁２９ａが介設され、中水導出口１８ａには電磁弁３１ａが介設された上水通路３０が接続されている。また、中水導出口１８ａの配設部近傍である洗面所の壁面には、中水利用指令と中水利用停止指令の指令発生を行うための操作手段としてのスイッチ（洗面所での中水利用のスイッチ）２８が設けられており、このスイッチ２８は、図１の破線に示されるように、リモコン装置４８に設けられる。
【００４５】
また、図２に示すように、中水通路１９には通路通水白濁用微細気泡噴出装置５０が介設されており、通路通水白濁用微細気泡噴出装置５０は、加圧容器５から導出された空気加圧溶融水が第２の切り替え弁８を介して中水通路１９に導入されたときに、空気加圧溶融水を減圧して噴出させることにより中水通路１９内の水に微細気泡を噴出させる機能を有している。この通路通水白濁用微細気泡噴出装置５０と、第２の切り替え弁８、電磁弁１５、加圧容器５、風呂温度センサ２７、浴槽水位検出手段３、ポンプ４、前記第１の切り替え弁６を有して、微細気泡発生機能等を有する多機能ユニット３３が形成されており、多機能ユニット３３は、屋外、室内、浴槽脇などの適宜の場所に設置される。この多機能ユニット３３内には、図１に示されるような制御装置３７が設けられている。
【００４６】
また、図２に示すように、前記浴槽１への循環路２の接続部には浴槽白濁用微細気泡噴出装置５１が設けられており（図３、図４においては図示せず）、浴槽白濁用微細気泡噴出装置５１は、加圧容器５から導出された空気加圧溶融水を減圧して噴出させることにより浴槽１内の水に微細気泡を噴出させる機能を有している。
【００４７】
図１には、本実施例の風呂システムの制御構成がブロック図により示されている。同図に示すように、本実施例では、多機能ユニット３３の制御装置３７内に、微細気泡含有中水導出制御手段２１と、空気導入弁開閉制御手段２０、浴槽湯水美白運転制御手段２２、循環路洗浄制御手段３９、上水洗浄制御手段２３、水位保持制御手段２４、湯張り制御手段２５が設けられており、制御装置３７には、トイレ内配置のリモコン装置４６が、無線あるいは有線により接続されている。
【００４８】
循環路洗浄制御手段３９は、適宜のリモコン装置（この例ではトイレ内配置のリモコン装置４６）の配管洗浄スイッチ４４がオン操作されて、循環路配管洗浄指令が加えられたときに、浴槽水位検出手段３により検出される検出水位が前記中水利用設定水位以上あったときには、ポンプ４の駆動により加圧容器５から導出される空気加圧溶融水を、図２（ａ）に示すように、第２の切り替え弁８を介して循環路２の管路２ｄに通し、浴槽白濁用微細気泡噴出装置５１を通して浴槽１に吐出させて微細気泡を発生させた後、浴槽１から加圧容器５に戻して前記循環路を例えば予め定められた循環路洗浄設定時間だけ循環させて洗浄する。なお、第２の切り替え弁８は、通常は、図２（ａ）に示すように、管路２ｃと管路２ｄを接続する態様と成している。
【００４９】
微細気泡含有中水導出制御手段２１は、トイレ洗浄のスイッチ２６がオンされて、中水利用指令が加えられたときに、浴槽水位検出手段３により検出される検出水位を取り込み、この検出水位が予め定められる中水利用設定水位以上あったときには、図２（ｂ）の矢印Ｂに示すような経路を通しての、中水導出口１８への中水導出を行う。
【００５０】
具体的には、微細気泡含有中水導出制御手段２１は、中水導出動作の開始時（トイレ洗浄のスイッチ２６からの中水利用指令の受信時）に、浴槽水位検出手段３の検出水位を確認し、この検出水位が中水利用設定水位以上のときには、電磁弁１５の開動作と第２の切り替え弁８の中水通路１９側への切り替え動作と、トイレ洗浄のスイッチ２６のオン動作に対応させた弁２９（２９ｂ）の開動作を行う。
【００５１】
その後、圧力センサ１７の検出圧力を取り込み、その値が予め定められたポンプオン設定圧力以下に下がったときにポンプ４の駆動を開始して浴槽１の水を加圧容器５に導入する。また、空気導入弁開閉制御手段２０に指令を加えて空気導入弁開閉制御手段２０により空気導入手段（空気導入弁）１６を開状態とし、加圧容器５に導入される空気を水に加圧溶融して空気加圧溶融水を形成し、加圧容器５から導出される空気加圧溶融水を中水通路１９に導入する。そして、この空気加圧溶融水を中水白濁用微細気泡噴出装置５０に通すことにより中水通路１９内で減圧して（加圧状態から常圧に戻して）微細気泡を噴出させ、該微細気泡の含有水を中水導出口１８から導出する。
【００５２】
また、微細気泡含有中水導出制御手段２１は、トイレ洗浄のスイッチ２６がオフされて、中水利用停止指令が加えられたときには、弁２９ｂを閉じ、ポンプ４を停止させて前記微細気泡の含有水の中水導出口１８からの導出を停止し、電磁弁１５を閉じ、中水導出終了信号を水位保持制御手段２４に加える。なお、本実施例においては、トイレ洗浄のスイッチ２６のオン操作時から予め定められている中水導出設定時間（トイレの洗浄タンク内の貯留水位が適正水位になるまでの時間）が経過してその分の水がトイレの洗浄タンク内に導入されたときにトイレ洗浄のスイッチ２６が自動的にオフし、このオフ時に中水利用停止指令の指令発生が行われるようになっている。また、微細気泡含有中水導出制御手段２１は、中水導出口１８からの中水導出停止時（電磁弁１５の閉時）に、第２の切り替え弁８の循環路２ｄ側への切り替え動作を行う。
【００５３】
なお、前述の循環路洗浄制御手段３９による浴槽湯水を用いた循環路２の洗浄の途中で、微細気泡含有中水導出制御手段２１に前記注水利用指令が加えられたときには、微細気泡含有中水導出制御手段２１は、循環路洗浄制御手段３９に循環路２の洗浄停止信号を加えて循環路２の洗浄を一時停止させ、中水の導出を前記の如く行う。そして、細気泡含有中水導出制御手段２１は、中水利用停止指令が加えられると、循環路洗浄制御手段３９に循環路２の洗浄再開信号を加えて循環路２の洗浄を再開させる。循環路洗浄制御手段３９は、このときに浴槽水位が中水利用設定水位以上あれば、前記循環路洗浄設定時間から洗浄停止前の洗浄時間を差し引いた時間だけ、循環路２の洗浄を行う。
【００５４】
水位保持制御手段２４は、リモコン装置４７の水溜スイッチ７がオンされている状態の時に、浴槽１に湯水があり、かつ、浴槽水の浴槽水位検出手段３による検出水位が予め定められる補水用設定水位以下より低い水位のときには、図３（ａ）に示すように、第１の切り替え弁６を切り替えて上水通路１０と管路２ａとを接続し、電磁弁１１を開き、注水通路１０から第１の切り替え弁６を介して上水を循環路２に注水し、循環路２を通して浴槽１内に上水を注水して浴槽水位を前記補水用設定水位以上の水位に保つ。前述の微細気泡含有中水導出制御手段２１による浴槽湯水の導出後にこの動作が行われると浴槽１内の湯水温を低くすることができるので浴槽湯水内の雑菌の繁殖を抑制することができる。
【００５５】
湯張り制御手段２５は、例えば浴室配置のリモコン装置４７の自動スイッチ９がオンされると、図３（ｂ）に示すように、熱源機１４により形成される加熱された水（湯）を注水通路１０から第１の切り替え弁６を介して上水を循環路２に注湯する。なお、湯張り制御手段２５の制御にしたがっての湯張り動作は、従来提案されているものを始めとし、今後提案されるものも含めて様々な動作が適用されるものである。自動スイッチ９は、湯張りが終了したとき又は湯張り終了後の保温動作が終了したとき等の適宜のタイミングで自動的にオフする。本実施例においては、前記のように、水位保持制御手段２４による補水動作を繰り返し行うと、浴槽湯水がほぼ上水に置換されるので、その水に湯張り制御手段２５によって注湯される湯張りの湯を加えることで、利用者が雑菌の繁殖のことを懸念せずに、安心して入浴用に用いることができるようにすることができる。
【００５６】
なお、熱源機１４は、ガスの燃焼により水を加熱して湯とする装置としてもよいし、ガス以外の燃料を燃焼させて水を加熱して湯とする装置としてもよいし、電気によって水を加熱して湯とする装置としてもよく、その詳細は適宜設定されるものである。また、熱源機１４を介して、暖房システムや太陽熱利用の集熱器を接続したりしてもよい。
【００５７】
上水洗浄制御手段２３は、微細気泡含有中水導出制御手段２１による中水導出終了以降または循環路洗浄制御手段２９による循環路２の洗浄終了以降に浴槽水位検出手段３によって浴槽湯水が無いことが検出されたときには、図４（ａ）、（ｂ）にそれぞれ示すように、注水通路１０から第１の切り替え弁６を介して前記循環路に上水を注水して該循環路を上水で洗浄する。なお、図４（ａ）に示す経路は、上水を、注水通路１０と循環路２の管路２ａを通して浴槽１に流し込む経路であり、図４（ｂ）に示す経路は、上水を、注水通路１０と循環路２の管路２ｂと加圧容器５、管路２ｃ、管路２ｄを順に通して浴槽１に流し込む経路であり、上水洗浄制御手段２３は、これらの経路の切り替えを、第１の切り替え弁６の切り替え動作により行う。なお、上水洗浄動作時に、図４の破線矢印に示すように、熱源機１４で形成した湯を注水通路１０を通して浴槽１に流すようにしてもよい。
【００５８】
浴槽湯水美白運転制御手段２２は、制御装置３７に信号接続されている浴室配置の風呂リモコン装置４６の美白スイッチ（微細気泡発生スイッチ）４２がオン操作されたときに、電磁弁１５の開動作と第２の切り替え弁８の管路２ｄ側への切り替え動作を行い、かつ、ポンプ４の駆動を行い、さらに、空気導入弁開閉制御手段２０に指令を加えて空気導入手段１６を適宜開閉し、前記と同様に空気加圧溶融水を形成する。そして、その空気加圧溶融水を循環路洗浄時と同様の経路で、図２（ａ）の矢印Ａに示したように、管路２ｄに導入し、空気加圧溶融水を浴槽白濁用微細気泡噴出装置５１に通すことにより浴槽１内で減圧して（加圧状態から常圧に戻して）微細気泡を噴出する。また、これらの動作を行いながら、浴槽１の水を循環路２の管路２ａ、２ｂ、２ｃ、２ｄに通して循環させる。
【００５９】
なお、美白スイッチ４２の操作は、通常、利用者が入浴中に行われるので、浴槽水の水位は入浴に適した水位となっているはずであるが、浴槽水の水が管路２ａの接続部よりも下の水位しかないときには、浴槽水の循環路２を通しての循環は行われない。また、浴槽湯水美白運転制御手段２２は、美白スイッチ４２がオフ操作されたときには、ポンプ４を停止させて微細気泡の浴槽１内への噴出を停止する。
【００６０】
なお、前記微細気泡含有水の形成動作は、例えば、空気導入手段１６を適宜のタイミングで開き、ポンプ４を適宜のタイミングで駆動させることにより行われるものであるが、加圧容器５による浴槽水の形成方法は様々であり、特に限定されるものでなく、適宜設定されるものである。ここでは、その詳細説明は省略する。
【００６１】
本実施例は以上のように構成されており、本実施例における動作例について、図５のフローチャートおよび図１〜図４に基づいて説明する。まず、図５のステップＳ１で、例えばトイレ洗浄のスイッチ２６がオンされると、このスイッチオン信号が中水利用指令として微細気泡含有中水導出制御手段２１に加えられ、微細気泡含有中水導出制御手段２１は、ステップＳ２で、浴槽水位検出手段３の検出信号を取り込み、浴槽水位が中水利用設定水位以上あるかどうかを確認する。そして、浴槽水位が中水利用設定水位以上あったときにはステップＳ３に進み、浴槽水位が中水利用設定水位より少なかったときにはステップＳ２ａで浴槽水の中水利用をオフにする。なお、この中水利用がオフのときには、上水側の電磁弁３１ｂを開いて上水の導出を行うようにする。
【００６２】
ステップＳ３では、微細気泡含有中水導出制御手段２１の制御により、弁２９ｂの開動作（上水側の電磁弁３１ｂは閉）と、第２の切り替え弁８の中水通路１９側への切り替えと、電磁弁１５の開動作とが行われて、中水通路１９を通して中水導出口１８ｂから浴槽水（中水）の導出が行われる。つまり、弁２９ｂと電磁弁１５を開いて、第２の切り替え弁８を中水通路１９側に切り替えると、加圧容器５内の空気によって加圧容器５内の浴槽水が押されて、その浴槽水が管路２ｃを通って中水通路１９に導入される。
【００６３】
そうすると、加圧容器５内の圧力が下がる（通常は、直ぐに圧力が下がる）ので、微細気泡含有中水導出制御手段２１によって取り込まれる圧力センサ１７の検出圧力を、ステップＳ４で、予め定められたポンプオン設定圧力と比較すると、圧力センサ１７の検出圧力がポンプオン設定圧力以下となり、ステップＳ５に進んでポンプ４を駆動開始（ＯＮ；オン）する。なお、このとき、微細気泡含有中水導出制御手段２１は、空気導入弁開閉制御手段２０に空気導入手段１６の開閉制御指令を加え、空気導入弁開閉制御手段２０によって空気導入手段１６の開閉動作が適宜のタイミングで行われる。
【００６４】
この空気導入手段１６の開閉動作とポンプ４の駆動とに伴い、加圧容器５によって浴槽水への空気の加圧溶融が行われ、空気加圧溶融水が中水通路１９を通るときに通路通水白濁用微細気泡噴出装置５０を通ることによって、ステップＳ６で、微細気泡が噴出（発生）する。また、この発生した微細気泡の含有中水によって、ステップＳ７に示すように、中水通路１９の配管が洗浄されながら微細気泡の含有中水が中水導出口１８ｂから導出（吐出）される。ステップＳ８では、微細気泡含有中水の中水導出口１８ｂからの吐出時間が予め定められる吐出設定時間（トイレの洗浄タンク内の貯留水位が適正水位になるまでの時間）になったか否かの判断が行われ、吐出設定時間になったらステップＳ９に進み、ステップＳ９で電磁弁１５を閉じてポンプ４を停止する（微細気泡発生が停止される）。
【００６５】
なお、ステップＳ８で、微細気泡含有中水の中水導出口１８ｂからの吐出時間が予め定められる吐出設定時間になったか否かの判断を行う代わりに、例えば図２（ａ）の破線Ｄに示すような位置に流量センサを設けて、中水導出口１８ｂから導出される中水の導出流量を検出し、その検出流量が予め定められる設定流量に達したら、ステップＳ９に進むようにしてもよい。
【００６６】
その後、ステップＳ１０で、上水洗浄制御手段２３が浴槽水位検出手段３により検出される検出水位をチェックし、浴槽水位検出手段３により浴槽１に水がないことが検出されたら、ステップＳ１１で、上水洗浄制御手段２３が、第１の切り替え弁６を注水通路１０と管路２ａとを接続状態として、ステップＳ１２で電磁弁１１を開き、ステップＳ１３で、図４（ａ）、（ｂ）に示したように、上水を注水通路１０から第１の切り替え弁６を介して循環路２に注水し、ステップＳ１３で浴槽１に吐出させる上水洗浄動作を行い、ステップＳ１４で、上水洗浄用の設定時間が経過したと判断されるまで上水洗浄動作を行う。ステップＳ１４で上水洗浄用の設定時間が経過したと判断されたら、ステップＳ１５で、電磁弁１１を閉じて上水洗浄動作を終了する。
【００６７】
一方、ステップＳ１０で、浴槽湯水があると判断されたときには、ステップＳ２０で、浴槽水位が補水用設定水位より低い（補水用設定水位未満）かどうかを判断し、浴槽水位が補水用設定水位以上であったらステップＳ１に戻り、浴槽水位が補水用設定水位より低い水位の時には、ステップＳ２１で、第１の切り替え弁６を注水通路１０と管路２ａとを接続状態となるようにして、ステップＳ２２で電磁弁１１を開き、ステップＳ１３で、図３（ａ）、（ｂ）に示したように、上水を注水通路１０から第１の切り替え弁６を介し、循環路２を通して浴槽１内に水を注水する。そして、浴槽水位が補水用設定水位に達したら注水動作を終了する。
【００６８】
なお、本実施例の変形例として、図６に示したように、中水通路１９を分岐して洗面所の中水導出口１８ａに導く構成とした場合に、洗面所配置のリモコン４８のスイッチ２８がオンされたときには、トイレ洗浄のスイッチ２６のオンに伴い弁２９ｂが開かれる代わりに、スイッチ２８のオンに伴って弁２９ａが開かれる以外は、図５のステップＳ１〜ステップＳ６までの動作が同様に行われ、ステップＳ７で中水通路１９の配管が洗浄されながら中水導出口１８ａから中水が導出される。その後、図５のステップＳ９に進み、スイッチ２８がオフされたときに、電磁弁１１の閉動作とポンプ４の停止が行われ、弁２９ａが閉じられて中水導出口１８ａからの中水導出が停止され、その後、前記と同様の動作が行われる。なお、スイッチ２８を、オン操作後に予め定められている中水導出設定時間が経過した後に自動的にオフされるように形成する場合は、トイレ洗浄のスイッチ２６の操作時と同様に、ステップＳ８、ステップＳ９の動作も行われる。
【００６９】
また、配管洗浄スイッチ４４がオン操作されて、循環路配管洗浄指令が加えられたときに、浴槽水位検出手段３により検出される検出水位が前記中水利用設定水位以上あったときには、循環路洗浄制御手段３９の制御に従い、加圧容器５から導出される空気加圧溶融水を図２（ａ）に示したように循環路２の管路２ｄに通し、浴槽白濁用微細気泡噴出装置５１を通して浴槽１に吐出させて微細気泡を発生させた後、浴槽１から加圧容器５に戻して循環路２を循環させて洗浄する動作が行われ、その後、ステップＳ１０以降の動作が同様に行われる。
【実施例２】
【００７０】
次に、第２実施例について図７〜図９に基づいて説明する。なお、これらの図において、前記第１実施例と同一名称部分には同一符号を付し、その重複説明は省略または簡略化する。図７には、本発明に係る風呂システムの第２実施例のシステム構成が一部省略した状態で示されており、図８には、その制御構成がブロック図により示されている。
【００７１】
第２実施例は、前記第１実施例の変形例（図６、参照）と同様に形成されている部分が多く、第２実施例の特徴的なことは、中水導出路１９に、浴槽水の中水を貯留する水貯留タンク４５を介設したことである。第２実施例では、この水貯留タンク４５の水導出側に通路通水白濁用微細気泡噴出装置５０を設けており、加圧容器５に圧力センサ１７を設けずに、水貯留タンク４５に圧力センサ１７を設けている。
【００７２】
また、第２実施例では、電磁弁１５を中水通路１９の入口側（水貯留タンク４５の水導入側）に設けており、この電磁弁１５は、弁２９ａ，２９ｂの閉状態のときに、水貯留タンク４５内の圧力を維持する役割を果たしている。さらに、第２実施例では、第１実施例において設けられていたリモコン装置４６のトイレ洗浄のスイッチ２６が省略され、弁２９ａ，２９ｂは電磁弁により形成されずに、中水導出口１８ａの蛇口近傍に設けられている手動の栓が開方向に操作されたときに弁２９ａが開き、手動の栓が閉方向に操作されたときに弁２９ａが閉じる弁となっており、また、中水導出口１８ｂ側は、トイレの水洗用操作レバーが操作されると弁２９ｂが開き、トイレ水洗用レバーの操作後に予め定められた設定時間経過後（あるいは、トイレの水洗用タンク内を満たす水量の中水が導出されたとき）に自動的に閉じるように構成されている。
【００７３】
第２実施例においても、その制御構成は、図８に示されるように、第１実施例とほぼ同様であるが、第２実施例においては、トイレ洗浄レバーが操作されて弁２９ｂが開いたときや、中水導出口１８ａ近傍の手動の栓が開かれて、それにより弁２９ａが開いたときに、水貯留タンク４５内の空気によって水貯留タンク４５内の浴槽水が押されて水貯留タンク４５の水導出側に流れ、水貯留タンク４５に設けられている圧力センサ１７の検出圧力が低下するので、微細気泡含有中水導出制御手段２１は、この圧力センサ１７の検出圧力の低下を検知して、それにより弁２９ａや弁２９ｂが開かれたことを検知する。そして、微細気泡含有中水導出制御手段２１は、浴槽水位検出手段３の検出水位が中水利用設定水位以上であることを確認し、圧力センサ１７の検出圧力が予め定めたポンプオン設定圧力以下になったらポンプ４の駆動を開始する。
【００７４】
そして、微細気泡含有中水導出制御手段２１は、中水導出口１８ａ近傍の手動の栓が閉じられてそれにより弁２９ａが閉じてから、または、トイレ水洗用レバーの操作後に予め定められた設定時間経過後（あるいは、トイレの水洗用タンク内を満たす水量の中水が導出されたとき）に弁２９ｂが自動的に閉じられてから、水貯留タンク４５に設けられている圧力センサ１７の検出圧力が予め定めたポンプオフ設定圧力以上になったときに、ポンプ４の駆動を停止する。
【００７５】
また、第２実施例では、空気導入手段１６の開閉制御を行う空気導入弁開閉制御手段２０は、風呂温度検出手段２７の検出温度が予め定めた設定温度以上の時には、ポンプ４の駆動直後に空気導入手段１６を開状態として空気を浴槽水に溶融させるが、風呂温度検出手段２７の検出温度が予め定めた設定温度未満の時には、水貯留タンク４５の圧力センサ１７の検出圧力が設定圧力以下になってポンプ４が駆動開始してから予め定められた弁開設定待機時間が経過するまでは、空気導入手段（空気導入手段）１６を閉状態とし、前記弁開設定待機時間が経過した以降に、空気導入手段１６を開状態として空気を浴槽水に溶融させる。なお、第２実施例において、配管洗浄スイッチ４４はリモコン装置４７に設けられている。
【００７６】
第２実施例は、以上のように構成されており、第２実施例は前記第１実施例とほぼ同様の動作を行うが、第２実施例では、中水通路１９に水貯留タンク４５を設けており、また、弁２９ａが中水導出口１８ａの栓の開閉動作に応じて開閉し、弁２９ｂがトイレの洗浄レバーの操作時に開いて、その後、中水導出設定時間後に閉じるので、図９のステップＳ１〜ステップＳ８の中水導出動作が、第１実施例とは異なる。
【００７７】
つまり、図９のステップＳ１で、中水導出口１８ａ側の栓が開いたりトイレ洗浄用レバーが操作されたりして弁２９ａ，２９ｂが開くと（この開動作が、圧力センサ１７の検出圧力に基づいて空気溶融中水導出制御手段２１により検知されると）、第２実施例でも前記第１実施例と同様に、微細気泡含有中水導出制御手段２１は、ステップＳ２で、浴槽水位検出手段３の検出信号を取り込み、浴槽水位が中水利用設定水位以上あるかどうかを確認する。そして、浴槽水位が中水利用設定水位以上あったときにはステップＳ３に進み、浴槽水位が中水利用設定水位より少なかったときにはステップＳ２ａで浴槽水の中水利用をオフにする。
【００７８】
ステップＳ３では、水貯留タンク４５内の空気によって水貯留タンク４５内の浴槽水が押されて中水通路１９を通して中水導出口１８ｂから導出されるが、このとき、微細気泡含有中水導出制御手段２１は、電磁弁１５を開き、切り替え弁６を中水通路１９側に切り替え、さらに、ステップＳ４で、水貯留タンク４５内の圧力が（圧力センサ１７による検出圧力）が予め定められたポンプオン設定圧力以下に下がったら、ステップＳ５でポンプ４を駆動開始（ＯＮ；オン）する。また、このとき、微細気泡含有中水導出制御手段２１は、空気導入弁開閉制御手段２０に空気導入手段１６の開閉制御指令を加え、空気導入弁開閉制御手段２０によって空気導入手段１６の開閉動作が適宜のタイミングで行われる。
【００７９】
そして、空気導入手段１６の開閉動作とポンプ４の駆動に伴い、加圧容器５によって浴槽水への空気の加圧溶融が行われ、その空気加圧溶融水が水貯留タンク４５内に導入された後に水貯留タンク４５から導出され、水貯留タンク４５の下流側の通路通水白濁用微細気泡噴出装置５０を通ることによって、ステップＳ６で、微細気泡が噴出（発生）する。また、この発生した微細気泡の含有中水によって、ステップＳ７で、中水通路１９の配管が洗浄されながら、微細気泡の含有中水が中水導出口１８ｂから導出（吐出）され、その後、ステップＳ８で、微細気泡含有中水の中水導出口１８ｂからの吐出時間が予め定められる吐出設定時間になったら、ステップＳ８ａで弁２９ｂは閉じられるが、その後、以下の動作が行われる。
【００８０】
つまり、ステップＳ８ｂで、圧力センサ１７の圧力が予め定められた設定圧力以上になるまで電磁弁１５を開いておき、ポンプ４の駆動を継続して行うことにより、水貯留タンク４５内の圧力を高め、かつ、図７の斜線で示す管路（中水通路１９の電磁弁１５よりも下流側、分岐通路１９ａ，１９ｂ）内の圧力を高める。そして、ステップＳ８ｂで、圧力センサ１７の圧力がポンプオフ設定圧力以上になってから、ステップＳ９で電磁弁１５を閉じ、ポンプ４の駆動を停止する。
【００８１】
なお、第２実施例でも、ステップＳ８で、微細気泡含有中水の中水導出口１８ｂからの吐出時間が予め定められる吐出設定時間になったか否かの判断を行う代わりに、例えば図７の破線Ｄに示すような位置に流量センサを設けて、中水導出口１８ｂから導出される中水の導出流量を検出し、その検出流量が予め定められる設定流量に達したら、ステップＳ８ａに進むようにしてもよい。
【００８２】
また、電磁弁１５を閉じても、中水導出口１８等から少しずつ自然に空気が抜けていき、水貯留タンク４５内の圧力は自然に圧力が下がるので、例えば微細気泡含有中水導出制御手段２１が、例えば設定期間毎に、圧力センサ１７の検出圧力を取り込む等して、ステップＳ８ｂの後にステップＳ８ｃに戻り、ステップＳ８ｂ、ステップＳ８ｃの動作を繰り返し、水貯留タンク４５の圧力がポンプオフ設定圧力以上になるようにして、図７の斜線で示した管路内の圧力を高め、待機しておく。
【００８３】
また、第２実施例においては、ステップＳ１で、洗面所の中水導出口１８ａの栓が手動で開かれると、弁２９ａが開かれて、図９のステップＳ２〜ステップＳ７までの動作が同様に行われ、中水導出口１８ａから水が導出される。その後、洗面所の中水導出口１８ａの栓が手動で閉じられると、弁２９ａが閉じられ、ステップＳ８ｂ、ステップＳ８ｃの各動作が前記と同様に行われる。
【００８４】
また、第２実施例でも、ステップＳ９以降の動作は、図９のステップＳ１０〜ステップＳ１５の動作が図５のステップＳ１０〜ステップＳ１５の動作と同様に行われ、図９のステップＳ２０〜ステップＳ２３の動作が図５のステップＳ２０〜ステップＳ２３の動作と同様に行われる。
【実施例３】
【００８５】
図１０には、本発明に係る風呂システムの第３実施例のシステム構成が示されており、図１１には、その制御構成がブロック図により示されている。なお、これらの図において、前記第１実施例およびその変形例ならびに第２実施例と同一名称部分には同一符号を付し、その重複説明は省略または簡略化する。
【００８６】
第３実施例が前記第１実施例の変形例と異なる特徴的なことは、第１実施例やその変形例に設けた電磁弁１５を省略し、管路２ｂに逆止弁１１を設けたことである。また、リモコン装置４６，４８およびそのスイッチ２６，２８は設けずに、中水導出口１８ａ，１８ｂ側の構成は前記第２実施例と同様に形成されている。
【００８７】
つまり、第３実施例でも、中水導出構成以外は前記第１実施例の変形例とほぼ同様に構成されており、中水導出構成においては前記第２実施例と同様に、中水導出口１８ａの栓の開動作に対応（連動）して弁２９ａの開動作が行われ、中水導出口１８ｂ付近のトイレ水洗用レバーの操作に対応（連動）して弁２９ｂの開動作が行われるように形成されている。第３実施例では、通常、第２の切り替え弁８を介して管路２ｃと中水通路１９とを接続しており、弁２９ａ，２９ｂの開かれたときに、加圧容器５内の空気によって加圧容器５内の浴槽水が押されて加圧容器５の水導出側に流れ、圧力センサ１７の検出圧力が低下するので、微細気泡含有中水導出制御手段２１は、この圧力センサ１７の検出圧力の低下を検知して、それにより弁２９ａや弁２９ｂが開かれたことを検知し、微細気泡含有中水導出制御手段２１は、浴槽水位検出手段３の検出水位を確認して、中水導出を行う。
【００８８】
そして、微細気泡含有中水導出制御手段２１は、加圧容器５に設けられている圧力センサ１７の検出圧力が予め定められたポンプオン設定圧力以下に下がったときにポンプ４の駆動を行って浴槽１の水を加圧容器５に導入し、空気導入手段１６を開状態として加圧容器５に導入される空気を水に加圧溶融して空気加圧溶融水を形成し、加圧容器５から導出される空気加圧溶融水を中水通路１９に導入する。また、この空気加圧溶融水を通路通水白濁用微細気泡噴出装置５０に通すことにより中水通路１９内で減圧して（加圧状態から常圧に戻して）微細気泡を噴出させ、該微細気泡の含有水を中水導出口１８から導出する。
【００８９】
そして、微細気泡含有中水導出制御手段２１は、中水導出口１８ａの栓の閉動作に対応させた弁２９ａの閉動作が行われてから、加圧容器５に設けられている圧力センサ１７の検出圧力が予め定めたポンプオフ設定圧力以上になったときに、ポンプ４の駆動を停止する。また、微細気泡含有中水導出制御手段２１は、中水導出口１８ｂ付近のトイレ水洗用レバーの操作後に予め定められた設定時間経過後（あるいは、トイレの水洗用タンク内を満たす水量の中水が導出されたとき）には弁２９ａを閉じ、その後、圧力センサ１７の検出圧力が予め定めたポンプオフ設定圧力以上になったときにポンプ４の駆動を停止する。
【００９０】
第３実施例は、以上のように構成されており、第３実施例も前記第１実施例とほぼ同様の動作を行うが、第３実施例では、弁２９ａが中水導出口１８ａの栓の開閉動作に応じて開閉し、弁２９ｂがトイレの洗浄レバーの操作時に開いて、その後、中水導出用設定時間後に閉じるので、図１２のステップＳ１〜ステップＳ６の中水導出動作が、第１実施例とは異なる。
【００９１】
つまり、第３実施例では、図１２のステップＳ１で、中水導出口１８ａの栓の開動作や中水導出口１８ｂ付近のトイレ水洗用レバーの操作が行われて、弁２９ａ，２９ｂが開かれたときに、微細気泡含有中水導出制御手段２１は、その動作を検知し、ステップＳ２で浴槽水位検出手段３の検出信号を取り込み、浴槽水位が中水利用設定水位以上あるかどうかを確認する。浴槽水位が中水利用設定水位以上あったときには、ステップＳ３で中水通路１９を通して中水導出口１８ａや中水導出口１８ｂから浴槽水（中水）の導出が行われる（加圧容器５内の空気によって加圧容器５内の浴槽水が押されて、その浴槽水が管路２ｃを通って中水通路１９に導入される）が、浴槽水位が中水利用設定水位より少なかったときにはステップＳ２ａで浴槽水の中水利用をオフにする。
【００９２】
また、図１２のステップＳ４では、微細気泡含有中水導出制御手段２１により加圧容器５の圧力センサ１７の検出圧力を取り込み、その圧力がポンプオン設定圧力以下のときにステップＳ５に進み、ポンプ４の駆動が行われて、以降、第１実施例と同様に、微細気泡発生動作および、その微細気泡含有中水の導出が行われる。なお、第３実施例では、第２実施例と同様に、図１２のステップＳ８ｂで、加圧容器５の圧力センサ１７の検出圧力がポンプオフ設定圧力以上かどうかが判断され、圧力センサ１７の検出圧力がポンプオフ設定圧力以上のときには、ステップＳ９に進み、ポンプ４の停止が行われる。また、圧力センサ１７の検出圧力がポンプオン設定圧力以下になったときには、ポンプ４の再駆動を行い、加圧容器５および図１０の斜線で示す管路（管路２ｂの逆止弁１１の配設位置から加圧容器５までの間と、管路２ｃ、中水通路１９、分岐通路１９ａ，１９ｂ）内の圧力を高める動作が行われる。
【００９３】
第３実施例では、第１実施例で設けた電磁弁１５を省略しているので、その分だけ部品点数を少なくできるし、電磁弁１５の制御構成も不要となり、より簡単な構成で低コスト化を図ることができる。また、逆止弁１１を設けて加圧容器５内の圧力を予め定めたポンプオン設定圧力程度の高い状態に常に保つことができる。
【００９４】
なお、本発明は前記実施例に限定されるものでなく、適宜設定されるものである。例えば、風呂システムにおいて、図１３（ａ）に示すように、浴槽１にジェット噴流を噴出させるジェットバスの噴出装置５２を設けてもよい。
【００９５】
また、図１３（ｂ）に示すように、加圧容器５のタンク５ｃに圧力センサ１７を設ける代わりに水位検出電極５４を設けてタンク５ｃ内の水位を検出し、この水位検出電極５４の検出水位に基づいてポンプ４の駆動開始や停止を行うようにしてもよい。つまり、例えば、水位検出電極５４の検出水位が予め定められているポンプオン設定水位以下になったときにポンプ４を駆動開始し、水位検出電極５４の検出水位が予め定められているポンプオフ設定水位を超えたときにポンプ４を駆動停止するようにしてもよい。また、水貯留タンク４５内の圧力センサ１７の代わりに水位検出電極５４等を設けて、その検出水位に基づいて、前記と同様に、ポンプ４の駆動開始や停止を行うようにしてもよい。
【００９６】
また、前記各実施例において、圧力センサ１７の代わりに水位センサ（フロートセンサ、電極電位式センサ等）を設けてもよい。つまり、この構成において、弁２９が開かれると、加圧容器５内の浴槽水や水貯留タンク４５内の浴槽水の水位が下がるため、水位センサの検出水位に基づいて弁２９が開かれたことが分かるので、水位センサの検出水位に基づき加圧容器５内の浴槽水に空気を溶融させれば、微細気泡含有の中水導出を行うことができる。
【００９７】
また、加圧容器５に設けた圧力センサ１７の代わりに水位センサを設ける場合には、以下のように、水位センサの検出水位に基づいて、微細気泡含有中水導出動作のタイミングと微細気泡発生動作における空気導入タイミングの両方を適切に制御できるといったメリットがある。つまり、例えば浴槽１内に微細気泡を発生させるとき（美白スイッチ４２がオンのとき）には、浴槽湯水をポンプ４で加圧しながら加圧容器５内に導入していくと、加圧容器５内の空気が加圧容器５内の浴槽水中に溶け込んでいって加圧容器５内の空気の体積は小さくなっていき、空気が無くなると、微細気泡形成ができなくなってしまう。
【００９８】
そこで、加圧容器５内の空気が少なくなっていって加圧容器５内の水位が高くなり、水位センサの検出水位が予め定められる基準値よりも高くなったときには、ポンプ４を停止して微細気泡発生動作を一時停止し、空気導入手段１６から空気を導入する。そうすると、浴槽１の水位と加圧容器５内の浴槽水位が同一になろうとして加圧容器５内の空気の量が増えていくので、空気が所定量導入されたら（つまり、加圧容器５内の浴槽水位が、予め定められる設定水位以下になったら）、微細気泡発生動作を再開するようにすると、加圧容器５内の浴槽水位を適正な水位に保ちながら、つまり、加圧容器５内の空気の体積を適正に保ちながら微細気泡発生動作を行うことができる。
【００９９】
なお、空気導入手段１６は、空気導入弁とするとは限らず、空気ポンプにより形成することもできる。例えば、浴槽１に対して加圧容器５が低い位置に設置されている場合には、空気導入手段１６が弁の場合には、弁から空気が抜けて加圧容器５内の空気が少なくなることがある。そこで、水位センサによって加圧容器５内の浴槽水位を検出し、その検出水位に基づいて適宜、空気ポンプによって加圧容器５内に空気を送り込んでもよい。
【０１００】
以上のように、加圧容器５内の水位を水位センサにより検出することにより、その検出水位に基づいて微細気泡含有中水導出タイミングを計ることができると共に、加圧容器５内に空気を導入するタイミング（空気導入手段１６の弁開閉タイミングや空気ポンプにより空気を送り込むタイミングやポンプ４の駆動タイミング）を計ることができて微細気泡発生動作を良好に行えるようにすることができる。
【０１０１】
なお、圧力センサ１７を水位センサとせずに、圧力センサのまま用い、圧力センサ１７からの圧力検出信号（例えば周波数）を用いて微細気泡作成時の加圧容器５内の空気減少状況を検出することもできる。つまり、微細気泡作成時には、加圧容器５内に勢いよく浴槽水が導入されて、加圧容器５内の圧力は勢いよく上下する。加圧容器５内の空気層が厚い場合には、その空気層が緩衝材となるが、空気層が薄い場合には浴槽水が加圧容器５内に勢いよく導入されたことによる加圧容器５内の圧力の上下変動が直接的に圧力センサ１７によって検出されることになる。そこで、この変化を例えば移動平均等の手法を用いて検出することにより、加圧容器５内の空気の量（空気層の量）を検出することができる。
【０１０２】
その空気の量が予め定められる基準値よりも小さくなったときには、ポンプ４を停止して微細気泡発生動作を一時停止し、空気導入手段１６から空気を導入する等して空気の量を増やす方向に制御し、空気の量が予め定められる設定量を超えたら、微細気泡発生動作を再開するようにする等、検出（推定）される加圧容器５内の空気の量に応じて、加圧容器５内の空気の体積を適正に保ちながら微細気泡発生動作を行うことができ、微細気泡含有中水導出動作のタイミングと微細気泡発生動作における空気導入タイミングの両方を適切に制御できる。
【０１０３】
さらに、図１４に示すように、熱源機１４内に多機能ユニット３３を組み込んだ風呂システムを形成することもできる。つまり、循環路２に、浴槽１の水を追い焚きする追い焚き交換器６８を設けて追い焚き循環路を形成し（循環路２を追い焚き循環路とし）、この追い焚き循環路に多機能ユニット３３を介設した構成としてもよい。なお、この例では、風呂温度センサ２７は流水スイッチ５３内に設けられているが、図の破線に示すように、追い焚き熱交換器６８の出側に設けられていてもよい。
【０１０４】
また、この例では、空気導入手段１６が空気導入弁により形成されて循環路２の管路２ａに設けられており、空気導入手段１６には注湯通路７４が接続されている。この注湯通路７４には注湯電磁弁７５が介設されており、この例では、注湯電磁弁７５が第１の切り替え弁６の役割を果たす。つまり、注湯電磁弁７５を介して循環路２に加熱されていない水を導入することもできるものであり、このように、第１の切り替え弁６は循環路２に直接介設するとは限らずまた、ポンプ４の吸い込み側に設けることもできる。
【０１０５】
なお、同図に示す熱源機１４は、器具ケース６１内に、３つの燃焼面を持つ給湯バーナ６２と、追い焚きバーナ６３と、給湯熱交換器６７、追い焚き熱交換器６８、燃焼ファン６４を設けており、バーナ６２，６３への燃料供給用のガス管６９にガス電磁弁７０、ガス比例弁７８が介設されている。給湯熱交換器６７の入側には給水通路６５が設けられ、給湯熱交換器６７の出側には給湯通路６６が接続されている。また、符号７１，７２はサーミスタ、符号７３は流量検出手段、符号７６はドレン管、符号７７はドレンの中和器を、それぞれ示している。なお、多機能ユニット３３は器具ケース６１内に設けてもよい。
【０１０６】
また、図１４に示したように、浴槽１と循環路２との接続部を１カ所として、接続具を介して循環路２の管路２ａの一端側と管路２ｄの一端側を近接させて接続してもよく、この構成は、前記第１〜第３実施例のシステム構成に適用することもできる。
【０１０７】
さらに、第２実施例のように、中水通路１９に水貯留タンク４５を介設する構成において、水貯留タンク４５に、水貯留タンク４５内が予め定めたオン駆動圧以下になるとオンして該オフ駆動圧よりも高い予め定めたオフ駆動圧以上になるとオフする圧力スイッチ４３を設けて構成してもよい（図７の破線、参照）。この場合、微細気泡含有中水導出制御手段は圧力スイッチ４３のオン信号が加えられたときに、ポンプ４の駆動を開始し、圧力スイッチ４３のオフ信号が加えられたときに、ポンプ４の駆動を停止するようにし、その他の動作は、前記第２実施例とほぼ同様に行うようにする。
【０１０８】
なお、この構成においても、空気導入弁開閉制御手段２０は、風呂温度検出手段２７の検出温度が予め定めた設定温度以上の時には、ポンプ４の駆動直後に空気導入手段１６を開状態として空気を浴槽水に溶融させるが、風呂温度検出手段２７の検出温度が予め定めた設定温度未満の時には、空気導入弁開閉制御手段２０は、ポンプの駆動開始から弁開設定待機時間が経過するまでは空気導入手段を閉状態とし、前記弁開設定待機時間が経過した以降に、空気導入手段１６を開状態として空気を浴槽水に溶融させることが好ましい。また、水貯留タンク４５の圧力スイッチ４３が予め定められた設定判断時間以内に予め定めた設定回数以上のオンオフ動作を繰り返し行ったときには、その直後に空気導入手段１６を開状態として空気を浴槽水に溶融させるとよい。
【０１０９】
さらに、前記各実施例では、水位保持制御手段２４は、微細気泡含有中水導出制御手段２１による浴槽湯水の導出後、その中水導出終了信号を受けて浴槽水位を補水用設定水位以上の水位に保つようにしたが、中水通路１９に水貯留タンク４５を設けて水貯留タンク４５に圧力スイッチ４３を設ける構成においては、水位保持制御手段２４が圧力スイッチ４３のオンオフ信号を取り込み、圧力スイッチ４３がオンしている時間に応じて中水利用の水量を推定し、その推定水量分だけ上水を注水して浴槽水位が補水用設定水位を大きく下回らないようにしてもよい。
【０１１０】
さらに、水位保持制御手段２４は、例えば図１５（ａ）に示すように、任意の水量（例えば３０リットル）の水を注水した後に浴槽１内の湯水を攪拌し、風呂温度センサ２７の検出温度を取り込み、その温度が浴槽水位の水位保持用に予め定められる水位保持用設定温度を超える温度であったときには、図１５（ｂ）に示すように、さらに注水を行い攪拌し、浴槽湯水の温度が水位保持用設定温度を超えないように、浴槽湯水が浴槽１から溢れない適宜の水位以下の範囲内で浴槽湯水の水位保持動作を行うようにしてもよい。
【０１１１】
なお、湯張り制御手段２５による湯張り時にも、同様に、任意の水量（例えば３０リットル）の湯を注水した後に浴槽１内の湯水を攪拌し、風呂温度センサ２７の検出温度を取り込み、その温度が風呂設定温度を超えないように注湯を繰り返して湯張りを行うようにしてもよい。
【０１１２】
さらに、微細気泡含有中水導出制御手段２１による中水導出が行われたときに、その中水導出終了信号を上水洗浄制御手段２３に加える構成とし、上水洗浄制御手段２３は、中水導出終了信号が加えられていないにもかかわらず、浴槽水位が許容範囲を超えて低下したときには、浴槽１の栓が抜かれて水位が低下していると判断し、上水による循環路２の洗浄を行うようにしてもよい。
【０１１３】
さらに、本発明の風呂システムのシステム構成は、適宜設定されるものであり、例えば図１６（ａ）、（ｂ）に示すように、注水通路１０と中水通路１９とを合流させ、電磁弁１３８を介設したバイパス通路１３９を介して上水通路３０に接続してもよい。なお、図１６（ａ）は、注水通路１０から注水される水を、第１の切り替え弁６を介し、管路２ｂ、加圧容器５、管路２ｃ，２ｄを順に通して浴槽１に吐出させる動作を示し、図１６（ｂ）は、注水通路１０から注水される水を、第１の切り替え弁６を介し、管路２ａを通して浴槽１に吐出させる動作を示す。なお、図１６において、通路通水白濁用微細気泡噴出装置５０、浴槽白濁用微細気泡噴出装置５１の図示は省略している。
【０１１４】
さらに、例えば図２（ａ）の破線に示すように、オゾンを収容するオゾン収容部５５を空気導入手段１６に接続し、空気導入手段１６からオゾンを導入するオゾン導入手段を形成して、空気の代わりにオゾンを導入するようにしてもよい。
【０１１５】
さらに、前記各実施例では、通路通水白濁用微細気泡噴出装置５０を中水通路１９に介設したが、例えば図２（ａ）の破線Ｅに示すように、加圧容器５の水導出部５ｂから第２の切り替え弁８に至る循環路２（管路２ｃ）に通路通水白濁用微細気泡噴出装置を設けてもよい。つまり、管路２ｃに、加圧容器５から導出される空気加圧溶融水を減圧して噴出させることにより循環路２内の水に微細気泡を噴出させる通路通水白濁用微細気泡噴出装置を設けてもよく、この場合、通路通水白濁用微細気泡噴出装置から噴出される微細気泡を含有する中水（浴槽湯水）を、第２の切り替え弁８の切り替えによって、中水通路１９側に導出することもできるし、管路２ｄを介して浴槽１側に導出することもできるので、浴槽白濁用微細気泡噴出装置５１を省略できる。
【０１１６】
さらに、本発明の風呂システムにおいて、制御装置３７は、上水洗浄制御手段２３、水位保持制御手段２４、湯張り制御手段２５を設けることが好ましいが、湯張り制御手段２５は省略することができ、また、上水洗浄制御手段２３と水位保持制御手段２４いずれかを省略することもできる。
【０１１７】
さらに、中水導出口１８の構成や個数、配設場所等、スイッチ２６，２８の構成や個数、配設場所等は、特に限定されるものでなく、適宜設定されるものであり、例えば、中水導出口１８を洗車用、植木用等、屋外に設けてもよいし、洗濯機による一次洗い用に導出してもよく、本発明は、様々な風呂システムに本発明を適用できる。
【産業上の利用可能性】
【０１１８】
本発明は、浴槽の残り湯を、システムに設けた微細気泡発生機能による洗浄効果を活かして有効に再利用できるので、家庭用や宿泊施設等に設けられる風呂システムとして利用できる。
【符号の説明】
【０１１９】
１          浴槽
２          循環路
３          浴槽水位検出手段
４          ポンプ
５          加圧容器
６          切り替え弁
７          水溜スイッチ
９          自動スイッチ
１５        電磁弁
１６        空気導入手段
１７        圧力センサ
１８，１８ａ，１８ｂ      中水導出口
１９        中水通路
２０        空気導入弁開閉制御手段
２１        微細気泡含有中水導出制御手段
２２        浴槽湯水美白運転制御手段
２３        上水洗浄制御手段
２４        水位保持制御手段
２５        湯張り制御手段
２６，２８  スイッチ
２７        風呂温度センサ
２８        圧力スイッチ
３３        多機能ユニット
３９        循環路洗浄制御手段
３７        制御装置
４４        配管洗浄スイッチ
４５        水貯留タンク
５０        通路通水白濁用微細気泡噴出装置
５１        浴槽白濁用微細気泡噴出装置
５５        オゾン収容部
６８        追い焚き交換器
【図１】
0006010319.tif 000002
【図２】
0006010319.tif 000003
【図３】
0006010319.tif 000004
【図４】
0006010319.tif 000005
【図５】
0006010319.tif 000006
【図６】
0006010319.tif 000007
【図７】
0006010319.tif 000008
【図８】
0006010319.tif 000009
【図９】
0006010319.tif 000010
【図１０】
0006010319.tif 000011
【図１１】
0006010319.tif 000012
【図１２】
0006010319.tif 000013
【図１３】
0006010319.tif 000014
【図１４】
0006010319.tif 000015
【図１５】
0006010319.tif 000016
【図１６】
0006010319.tif 000017